(57)【要約】【課題】  可動部に設けられた光検出素子およびＩ／Ｖ変換回路等の電気変換回路からの出力信号線の本数を減らすことにより、低コストで光検出装置を提供する。【解決手段】  光検出素子１１７と、前記光検出素子が検出した光を電気信号に変換して出力するＩ／Ｖ変換回路１１８とが、互いに異なる波長域の光に対応して可動部内に複数組設けられた光検出装置であって、前記複数組の電気変換回路の出力ｄａ、ｄｂ、ｄｃが一配線にまとめられ、前記複数組のうち１組において前記光検出素子が検出した光をＩ／Ｖ変換回路１１８が電気信号へ変換して出力する際に、当該Ｉ／Ｖ変換回路以外の組のＩ／Ｖ変換回路の出力側をハイインピーダンス状態とする制御部１０９を備えた光検出装置。【選択図】  図２
2006134387.tif 000002
【特許請求の範囲】
【請求項１】
光検出素子と、前記光検出素子が検出した光を電気信号に変換して出力する電気変換回路とが、互いに異なる波長域の光に対応して可動部内に複数組設けられた光検出装置であって、
前記複数組の電気変換回路の出力が、一配線にまとめられ、
前記複数組のうち１組において前記光検出素子が検出した光を前記電気変換回路が電気信号へ変換して出力する際に、前記複数組のうち当該組以外における電気変換回路の出力側をハイインピーダンス状態とする制御部を備えたことを特徴とする光検出装置。
【請求項２】
前記複数組のうち１組の光検出素子が赤外光を受光する、請求項１記載の光検出装置。
【請求項３】
前記複数組のうち１組の光検出素子が赤色光を受光する、請求項１記載の光検出装置。
【請求項４】
前記複数組のうち１組の光検出素子が青色光もしくは青紫色光を受光する、請求項１記載の光検出装置。
【請求項５】
前記可動部が、光ピックアップであり、
前記光ピックアップ内に、それぞれ異なる波長域の光を出射する複数の発光素子を備え、
前記複数組の光検出素子のそれぞれに、前記複数の発光素子のうちいずれか所定の発光素子から出射され光ディスクで反射された光を導く光学系をさらに備えた、請求項１〜４のいずれか一項に記載の光検出装置。
【請求項６】
前記光ピックアップ内に、前記複数の発光素子のそれぞれからの直接光または反射光を受光し、当該発光素子の出射光の強度を検出し、光強度検出信号を出力する光強度検出回路を複数備え、
前記光強度検出回路の出力が、一配線にまとめられ、
前記制御部が、前記複数の光強度検出回路の一つが前記光強度検出信号を出力する際に、当該光強度検出回路以外の全ての光強度検出回路の出力側をハイインピーダンス状態とする、請求項５に記載の光検出装置。
【発明の詳細な説明】
【技術分野】
【０００１】
この発明は、光検出素子と、前記光検出素子が検出した光を電気信号に変換して出力する電気変換回路とが、互いに異なる波長域の光に対応して可動部内に複数組設けられた光検出装置に関する。
【背景技術】
【０００２】
近年、様々なディジタル記録媒体が開発されている。ディジタル記録媒体の中で、現在最も注目されているものが、光ディスクを用いた光ディスク記録再生装置であり、家庭用の音楽、ビデオ録画、鑑賞等の用途に急速に普及してきている。光ディスク装置は、半導体レーザの光源より出射される光を光ディスク媒体に反射させ、その反射光をフォトディテクタが受光することで、光ディスク上に記録されている情報ピットの反射率変化および位相差変化を検出する。光ディスクに記録される情報量は、前記情報ピットが小さいほど大容量となる。従って高密度記録の為には、半導体レーザの波長をより短波長にすることが、最も有効である。例えば、ＣＤ記録再生には、７８０ｎｍ近傍の波長である赤外半導体レーザが用いられる。また、より記録密度の向上したＤＶＤ記録再生に関しては、６５０ｎｍ近傍の赤色半導体レーザが用いられる。さらに、ＤＶＤより記録密度を向上させたＢＤ（Ｂｒｕ−Ｒａｙ  Ｄｉｓｃ）においては、４００ｎｍ近傍の青紫色半導体レーザの使用が予定されている。
【０００３】
このように、半導体レーザの短波長化に伴い、光ディスクの大容量化は進んできているが、より大容量の光ディスク装置が出現しても、低容量のＣＤまたはＤＶＤの需要がなくなることはない。そのため、ユーザは、ＣＤ、ＤＶＤ、ＢＤといった複数の光ディスクの記録再生を１台でできる光ディスク装置を望んでいる。従来、ＣＤとＤＶＤ兼用の検出受光素子を有する光ピックアップの構成が、特許文献１に記載されている。
【特許文献１】特開平８−５５３６３号公報
【発明の開示】
【発明が解決しようとする課題】
【０００４】
ところで、光ディスク装置において、フォトディテクタは、光ディスク媒体からの反射光を受光することで、光強度に応じた電流を出力し、これをＩ／Ｖ変換回路等の電気変換回路を用いて電圧信号に変換する。フォトディテクタの光−電流変換効率は、光源の波長によって異なる。例えば、ある特定のフォトディテクタにおいて、７８０ｎｍの波長に対する変換効率が０．５Ａ／Ｗ、６５０ｎｍの波長に対する変換効率０．４Ａ／Ｗ、４００ｎｍの波長に対する変換効率０．３Ａ／Ｗというように異なり、これを分光感度という。従って、より効率的に光を電圧信号に変換することを考慮すれば、各々の光源に対して、感度の最適化されたフォトディテクタを、専用に配置することが望ましい。
【０００５】
また、光ディスクからの反射光を、共通形状の共通配置のフォトディテクタで受光することも難易度が高い。光学設計の観点からも、各々の光源に最適に配置されたフォトディテクタで反射光を受光することが望ましい。
【０００６】
しかしながら、光ディスク装置において、フォトディテクタおよびＩ／Ｖ変換回路は、可動部である光ピックアップ上に配置されている。また、信号Ｓ／Ｎや周波数特性の制約から、最近では、フォトディテクタとＩ／Ｖ変換回路部が集積化（モノリシック化）されている場合が多い。一方、再生信号の波形等化やＡＤ変換といった再生信号処理を行う再生信号処理回路は、一般的に回路規模も大きく光ピックアップ上に搭載することが難しいために、光ピックアップとは別の固定部に配置されている。
【０００７】
従って可動部である光ピックアップから再生信号処理回路までの電圧信号の伝送には、ＦＰＣ（フレキシブルケーブル）などが用いられる。複数の光源に対応して、複数組のフォトディテクタとＩ／Ｖ変換回路とを設けると、各Ｉ／Ｖ変換回路の電圧出力を再生信号処理回路まで伝送するためのＦＰＣの信号線数が増加するという問題がある。さらに、再生信号処理回路は、近年は１チップのＬＳＩで構成されているため、ＬＳＩの入力端子数も光源数だけ増加することになり、装置全体のコスト増加につながる。
【０００８】
本発明は、上記の問題に鑑み、可動部に設けられた光検出素子およびＩ／Ｖ変換回路等の電気変換回路からの出力信号線の本数を減らすことにより、低コストで光検出装置を提供することを目的とする。
【課題を解決するための手段】
【０００９】
上記課題を解決するために、本発明にかかる光検出装置は、光検出素子と、前記光検出素子が検出した光を電気信号に変換して出力する電気変換回路とが、互いに異なる波長域の光に対応して可動部内に複数組設けられた光検出装置であって、前記複数組の電気変換回路の出力が、一配線にまとめられ、前記複数組のうち１組において前記光検出素子が検出した光を前記電気変換回路が電気信号へ変換して出力する際に、前記複数組のうち当該組以外における電気変換回路の出力側をハイインピーダンス状態とする制御部を備えたことを特徴とする。
【発明の効果】
【００１０】
本発明によれば、可動部に設けられた光検出素子および電気変換回路からの出力信号線の本数を減らすことにより、低コストで光検出装置を提供することができる。
【発明を実施するための最良の形態】
【００１１】
本発明にかかる光検出装置は、光検出素子と、前記光検出素子が検出した光を電気信号に変換して出力する電気変換回路とが、互いに異なる波長域の光に対応して可動部内に複数組設けられた光検出装置であって、前記複数組の電気変換回路の出力が、一配線にまとめられ、前記複数組のうち１組において前記光検出素子が検出した光を前記電気変換回路が電気信号へ変換して出力する際に、前記複数組のうち当該組以外における電気変換回路の出力側をハイインピーダンス状態とする制御部を備えた構成である。
【００１２】
これにより、可動部内に設けられた複数組の光検出素子および電気変換回路からの出力信号線が一配線にまとめられているので、可動部からの出力信号線の本数を減らすことができ、低コストで光検出装置を提供できる。なお、前記複数組のうち１組において前記光検出素子が検出した光を前記電気変換回路が電気信号へ変換して出力する際に、当該電気変換回路以外の全ての電気変換回路の出力側をハイインピーダンス状態とすることにより、互いに異なる波長域の光を個別に検出することが可能である。
【００１３】
前記光検出素子としては、例えば、赤外光を受光する光検出素子、赤色光を受光する光検出素子、青色光もしくは青紫色光を受光する光検出素子等を用いることができる。ここでいう、赤外光とは、７００ｎｍ〜８００ｎｍの波長の光を指す。また、赤色光とは、６００ｎｍ〜７００ｎｍの波長の光を指す。さらに、青色光もしくは青紫色光とは、４００ｎｍ〜５５０ｎｍの波長の光を指す。
【００１４】
また、上記の構成にかかる光検出装置において、前記可動部が光ピックアップであり、前記光ピックアップ内に、それぞれ異なる波長域の光を出射する複数の発光素子を備え、前記複数組の光検出素子のそれぞれに、前記複数の発光素子のうちいずれか所定の発光素子から出射され光ディスクで反射された光を導く光学系をさらに備えたことが好ましい。さらに、前記光ピックアップ内に、前記複数の発光素子のそれぞれからの直接光または反射光を受光し、当該発光素子の出射光の強度を検出し、光強度検出信号を出力する光強度検出回路を複数備え、前記光強度検出回路の出力が、一配線にまとめられ、前記制御部が、前記複数の光強度検出回路の一つが前記光強度検出信号を出力する際に、当該光強度検出回路以外の全ての光強度検出回路の出力側をハイインピーダンス状態とすることが好ましい。
【００１５】
以下、本発明のさらに具体的な実施の形態について、図面を用いて説明する。
（実施の形態１）
本発明の実施の形態１にかかる光検出装置について、図１〜３を用いて説明する。
【００１６】
図１は、本発明の実施の形態１における光検出装置（光ディスク装置）の構成を示すブロック図である。図２は、本実施形態にかかる図１の光ピックアップ１０３の内部構成を示すブロック図である。図３は、本実施形態にかかる図２の再生信号検出器１０５ａの内部構成を示すブロック図である。
【００１７】
図１に示すように、本実施形態にかかる光検出装置は、スピンドルモータ１０２と、光ピックアップ１０３とを備えている。本光検出装置は、さらに、レーザパワー制御部１１０と、フォーカストラッキングサーボ部１０６と、アドレス検出部１０７と、データ再生部１０８と、制御部１０９とを備えている。
【００１８】
スピンドルモータ１０２は、光ディスク１０１を回転させる。光ピックアップ１０３は、対物レンズ、フォログラム等の光学部位以外にもレーザドライバ１０４と再生信号検出器１０５、レーザパワー光検出器１１１とを備えている。光ピックアップ１０３は、ドライバ制御信号ａに基づき、レーザドライバ１０４より供給される半導体レーザ駆動電流によって半導体レーザ１１２を発光させ、光ディスク１０１に照射する。半導体レーザ１１２の出射光は、レーザパワー光検出器１１１で受光され、レーザパワー検出信号ｂとしてレーザパワー制御部１１０へ帰還する。レーザパワー制御部１１０は、レーザパワー検出信号ｂに基づき、半導体レーザ１１２の出射パワーが一定になるようにドライバ制御信号ａを制御する。光検出器制御信号ｃは、再生信号検出器１０５およびレーザパワー光検出器１１１の状態を制御する。
【００１９】
光ピックアップ１０３は、微弱な再生パワーで光ディスク１０１に光を照射し、光ディスク１０１上に記録されたピット情報に基づいて変化する反射光を、再生信号検出器１０５で検出し、再生信号ｄとして出力する。再生信号ｄは、フォーカストラッキングサーボ部１０６に供給され、サーボ情報ｆとして制御部１０９で演算され、光ピックアップ１０３のフォーカスおよびトラッキング状態を制御する。再生信号ｄは、アドレス検出部１０７およびデータ再生部１０８へも送られる。アドレス検出部１０７は、光ディスク１０１上のアドレス情報gを検出し、制御部１０９へ供給する。データ再生部１０８は、光ディスク１０１上に記録されたユーザデータ情報hを検出し、制御部１０９へ供給する。
【００２０】
光ピックアップ１０３は、光ディスク１０１の半径方向に移動する必要性があるため、ドライブ筐体に対して可動する可動体として構成される。一方、レーザパワー制御部１１０、フォーカストラッキングサーボ部１０６、アドレス検出部１０７、データ再生部１０８、制御部１０９等は、例えばＬＳＩ等によって作成され、ドライブ筐体に固定されている。可動体である光ピックアップ１０３と、ドライブ筐体に固定された制御部１０９等との間には、これらの間で信号ａ〜ｄをやりとりするために、フレキシブルケーブル（図示せず）等の屈曲可能なケーブルが配線されている。
【００２１】
なお、図１では図示を省略しているが、図２に示すように、光ピックアップ１０３は、対物レンズ１１４と、反射素子群１１３とをさらに備えている。また、同じく図２に示すように、光ピックアップ１０３において、半導体レーザ１１２としては、互いに異なる波長域のレーザ光を出射する３個の半導体レーザ１１２ａ、１１２ｂ、１１２ｃが設けられている。レーザドライバ１０４は、これらの半導体レーザ１１２ａ、１１２ｂ、１１２ｃを発光させる。また、光ピックアップ１０３において、再生信号検出器１０５も、図２に示すように、３個（再生信号検出器１０５ａ、１０５ｂ、１０５ｃ）設けられている。反射素子群１１３は、半導体レーザ１１２ａ、１１２ｂ、１１２ｃから出射された光を光ディスク１０１へ向けてそれぞれ反射させる入射側反射素子群１１３ａと、光ディスク１０１からの戻り光を再生信号検出器１０５ａ、１０５ｂ、１０５ｃへ向けて反射させる出射側反射素子群１１３ｂとを含む。
【００２２】
図２に示すように、再生信号検出器１０５ａは、フォトディテクタ（光検出素子）１１７ａと、フォトディテクタ１１７ａからの検出電流を電圧変換するＩ／Ｖ変換回路１１８ａとを備えている。なお、図２では図示を省略しているが、再生信号検出器１０５ａは、フォトディテクタ１１７ａにおける受光面の分割数に応じてＩ／Ｖ変換回路１１８ａを複数組備えている。同様に、再生信号検出器１０５ｂは、フォトディテクタ１１７ｂにおける受光面の分割数に応じてＩ／Ｖ変換回路１１８ｂを複数組備えており、再生信号検出器１０５ｃは、フォトディテクタ１１７ｃにおける受光面の分割数に応じてＩ／Ｖ変換回路１１８ｃを複数組備えている。Ｉ／Ｖ変換回路１１８ａ、１１８ｂ、１１８ｃの出力（再生信号ｄａ、ｄｂ、ｄｃ）は、一本の配線にまとめられている。
【００２３】
本実施形態においては、一例として、半導体レーザ１１２ａは、ＣＤ記録再生用として波長が７８０ｎｍ近傍、半導体レーザ１１２ｂは、ＤＶＤ記録再生用として波長が６５０ｎｍ近傍、半導体レーザ１１２ｃは、ＢＤ記録再生用として波長が４００ｎｍ近傍のレーザ光を、それぞれ照射する。なお、本発明にかかる発光素子は、半導体レーザに限定されるものではない。
【００２４】
レーザドライバ１０４によって３つの半導体レーザ１１２ａ、１１２ｂ、１１２ｃへの駆動電流をオンオフ制御することで、半導体レーザ１１２ａ，１１２ｂ、１１２ｃを選択的に発光させることができる。各々の半導体レーザより出射されたレーザ光は、入射側反射素子群１１３ａと対物レンズ１１４によって光ディスク１０１の盤面上に焦点を結び、光ディスク１０１上から反射する。この時光ディスク１０１上に記録されたピット情報の反射率差や位相差情報が反射光に反映されている。反射光は、対物レンズ１１４を通過し、所定の波長域の光をそれぞれ反射させる出射側反射素子群１１３ｂによって、波長に応じて、再生信号検出器１０５ａ、１０５ｂ、１０５ｃのいずれかに導かれ、フォトディテクタで受光される。
【００２５】
光検出器制御信号ｃは、ＣＤ光検出器制御信号ｃａ、ＤＶＤ光検出器制御信号ｃｂ、ＢＤ光検出器制御信号ｃｃとして、制御部１０９から再生信号検出器１０５ａ〜１０５ｃの各々に供給されており、各再生信号検出器の動作／非動作状態を制御する。ここで、動作状態とは光ディスク１０１からの反射光を検出し電圧信号として出力する状態を示し、非動作状態とは反射光を受光したとしても出力せず電気的には出力オープンの状態を意味する。
【００２６】
例えばＣＤを再生する際は、レーザドライバ１０４は、ＣＤ用の７８０ｎｍ近傍の波長の光を出射する半導体レーザ１１２ａを駆動し、ＤＶＤ用の６５０ｎｍ近傍の波長の光を出射する半導体レーザ１１２ｂと、ＢＤ用の４００ｎｍ近傍の波長の光を出射する半導体レーザ１１２ｃの駆動は停止する。このとき、制御部１０９は、光検出器制御信号ｃのうち、ＣＤ光検出器制御信号ｃａがＣＤ用の再生信号検出器１０５ａに対して動作状態を指令し、ＤＶＤ光検出器制御信号ｃｂ、ＢＤ光検出器制御信号ｃｃが、ＤＶＤ用、ＢＤ用の再生信号検出器１０５ｂ、１０５ｃに対して、非動作状態（すなわち電気的に出力オープンの状態）を指令するように設定する。この結果、再生信号ｄａ，ｄｂ，ｄｃは配線上ショート状態であるが、ＣＤ記録再生時には、ＣＤ用の再生信号検出器１０５ａから出力される再生信号のみが、後段の回路へ伝送されることになる。
【００２７】
同様に、ＤＶＤを再生する際には、レーザドライバ１０４が、ＤＶＤ用の６５０ｎｍ近傍の波長の光を出射する半導体レーザ１１２ｂを駆動し、ＣＤ用、ＢＤ用の半導体レーザ１１２ａ、１１２ｃの駆動を停止する。さらに、光検出器制御信号ｃのうち、ＤＶＤ用の光検出器制御信号ｃｂが、ＤＶＤ用の再生信号検出器１０５ｂに対して動作状態を指令し、ＣＤ用、ＢＤ用の再生信号検出器１０５ａ、１０５ｃに対しては、非動作状態を指令するようにする。
【００２８】
また、ＢＤを再生する際には、レーザドライバ１０４が、ＢＤ用の半導体レーザ１１２ｃを駆動し、ＣＤ用、ＤＶＤ用の半導体レーザ１１２ａ、１１２ｂの駆動を停止する。さらに、光検出器制御信号ｃのうち、ＢＤ用の光検出器制御信号ｃｃが、ＢＤ用の再生信号検出器１０５ｃに対して動作状態を指令し、ＣＤ用、ＤＶＤ用の再生信号検出器１０５ａ、１０５ｂに対しては、非動作状態を指令するようにする。
【００２９】
なお、図２では、説明の簡略化のために、ＣＤ用、ＤＶＤ用、ＢＤ用の再生信号検出器の各々を１チャンネルの検出器として図示したが、実際の再生信号検出器は複数チャンネルである。ここで、図３を参照し、再生信号検出器１０５の構成について、より詳しく説明する。なお、図３には、再生信号検出器１０５のうち、再生信号検出器１０５ａの構成を図示したが、再生信号検出器１０５ｂ、１０５ｃの構成もこれと同様である。
【００３０】
図３に示すように、再生信号検出器１０５ａは、複数組のフォトディテクタ１１７ａおよびＩ／Ｖ変換回路１１８ａ、すなわち、フォトディテクタ１１７ａ1〜１１７ａ6およびＩ／Ｖ変換回路１１８ａ1〜１１８ａ6と、加算回路１１９、極性反転バッファ回路１２０、および正極性のバッファ回路１２１を備え、８チャンネルの信号ｄａ1〜ｄａ8を出力する。また、再生信号検出器１０５ａは、信号ｄａ1〜ｄａ8の各々の出力直前にアナログスイッチ１１６を備えている。アナログスイッチ１１６のショート／オープンは、ＣＤ光検出器制御信号ｃａによって制御される。
【００３１】
これにより、例えばＣＤ再生時は、制御部１０９は、ＣＤ光検出器制御信号ｃａによって再生信号検出器１０５ａのアナログスイッチ１１６をショートさせることにより、再生信号検出器１０５ａを動作状態とする。このとき同時に、制御部１０９は、ＤＶＤ光検出器制御信号ｃｂ、ＢＤ光検出器制御信号ｃｃによって、再生信号検出器１０５ｂ、１０５ｃのアナログスイッチをオープンとすることにより、再生信号検出器１０５ｂ、１０５ｃを非動作状態とする。
【００３２】
また、ＤＶＤまたはＢＤの再生時は、制御部１０９が、ＣＤ光検出器制御信号ｃａによって再生信号検出器１０５ａのアナログスイッチ１１６をオープンとすることにより、再生信号検出器１０５ａは非動作状態となる。
【００３３】
なお、本実施形態では、再生信号検出器１０５ａ、１０５ｂ、１０５ｃの動作／非動作を制御するための回路素子としてアナログスイッチ１１６を例示したが、他の回路素子を用いることも可能である。
【００３４】
上述のように再生信号検出器１０５から出力された再生信号は、フォーカストラッキングサーボ部１０６（図１参照）へ送られる。フォーカストラッキングサーボ部１０６は、例えば式（１）に示す演算を行ってフォーカス情報を得る。
【００３５】
（ｄａ1＋ｄａ3）−（ｄａ2＋ｄａ4）          式（１）
さらに、フォーカストラッキングサーボ部１０６は、例えば式（２）に示す演算を行ってトラッキング情報を得る。なお、式（２）においてＫは係数である。
【００３６】
（ｄａ3＋ｄａ4）−（ｄａ1＋ｄａ2）−Ｋ（ｄａ5＋ｄａ6）            式（２）
得られたフォーカス情報およびトラッキング情報は、サーボ情報ｆとして制御部１０９へ送られる。制御部１０９は、サーボ情報ｆに基づいて光検出器制御信号ｃを出力し、再生信号検出器１０５およびレーザパワー光検出器１１１の状態を制御する。
【００３７】
データ再生部１０８（図１参照）は、信号ｄａ7、ｄａ8を取得して、例えば式（３）に示す演算を行ってユーザデータ情報ｈを取得する。信号ｄａ7、ｄａ8は、検出信号ｄａ1、ｄａ2、ｄａ3、ｄａ4の加算信号であって、極性のみが反転している。ユーザデータ情報ｈは、ユーザデータの再生に使用される。
【００３８】
ｄａ7−ｄａ8                                式（３）
アドレス検出部１０７（図１参照）も、信号ｄａ7、ｄａ8を取得して、アドレス情報ｇの検出に使用する。なお、例えば式（４）に示した演算によってもアドレス情報ｇを検出することができる。アドレス情報ｇは、制御部１０９へ出力され、制御に使用される。
【００３９】
（ｄａ3＋ｄａ4）−（ｄａ1＋ｄａ2）        式（４）
なお、フォーカス情報、トラッキング情報、サーボ情報、アドレス情報、ユーザデータ情報を取得するための演算式は、上述の一例にのみ限定されるものではない。
【００４０】
以上のように、本例では、ＣＤ用の再生信号検出に必要な検出信号出力は、ｄａ1〜ｄａ8の８本である。ＤＶＤ用、ＢＤ用にもほぼ同様な検出機能が必要となる。従って、可動部である光ピックアップ１０３から、フォーカストラッキングサーボ部１０６、アドレス検出部１０７、データ再生部１０８といった固定部に伝送される再生検出信号ｄの出力は総計２４となる。しかし、本実施形態では、図４に示すとおり、再生信号検出器１０５ａ、１０５ｂ、１０５ｃの出力が一配線にまとめられているため、光ピックアップ１０３から出力される信号線の数は、ｄａ1〜ｄａ8の合計８本となる。
【００４１】
以上のように、本実施形態の構成によれば、光ディスク１０１からの再生信号を検出するための再生信号検出器１０５ａ〜１０５ｃの出力信号線を配線上互いに結合したことにより、可動部である光ピックアップ１０３から筐体への信号線の本数を減少させることができる。さらに、フォーカストラッキングサーボ部１０６、アドレス検出部１０７、データ再生部１０８等をＬＳＩで構成する場合、再生信号入力用のピン数を減少させることができる。
【００４２】
また、本実施形態においては、ＣＤ、ＤＶＤ、ＢＤそれぞれ個別に再生信号検出器を設ける構成を示したが、この一例に限定されない。例えばＣＤとＤＶＤを１つの再生信号検出器で検出し、ＢＤのみを別の再生信号検出器で受光するといった構成も可能である。
【００４３】
また、本実施形態では、再生信号検出器から出力される再生信号が８本である例を示したが、再生信号の本数は任意である。
（実施の形態２）
前述の実施の形態１では、光ディスク１０１からの再生信号を検出するための再生信号検出器１０５ａ〜１０５ｃの出力信号線を配線上互いに結合した構成であるが、本実施形態にかかる光ディスク装置は、半導体レーザ１１２からの出射光のパワーを検出するためのレーザパワー光検出器１１１の出力信号線を配線上互いに結合した構成である。なお、本実施形態にかかる光ディスク装置において、再生信号検出器１０５は、実施の形態１において図２〜図４に示したように、出力信号線が配線上互いに結合された構成であることが好ましい。
【００４４】
図５に、本実施形態にかかる光検出装置（光ディスク装置）のレーザパワー検出系の概略構成を示す。本実施形態の光ピックアップ１０３は、レーザパワー光検出器１１１として、ＣＤ用光検出器１１１ａ、ＤＶＤ用光検出器１１１ｂ、ＢＤ用光検出器１１１ｃを有する。半導体レーザ１１２ａ、１１２ｂ、１１２ｃの出射光は、光ピックアップ１０３内に設けられた反射素子１１５ａ、１１５ｂ、１１５ｃでそれぞれ反射され、レーザパワー光検出器１１１ａ、１１１ｂ、１１１ｃに入射される。
【００４５】
レーザパワー光検出器１１１ａ、１１１ｂ、１１１ｃは、フォトディテクタ１２３ａ、１２３ｂ、１２３ｃと、これらのフォトディテクタからの検出電流を電圧変換するＩ／Ｖ変換回路１２４ａ、１２４ｂ、１２４ｃとを備えている。これにより、レーザパワー光検出器１１１ａ、１１１ｂ、１１１ｃは、受光したレーザ光のパワーに比例した電圧のレーザパワー検出信号ｂａ、ｂｂ、ｂｃを、レーザパワー制御部１１０へ出力する。
【００４６】
レーザパワー光検出器１１１ａ、１１１ｂ、１１１ｃは、信号ｂａ、ｂｂ、ｂｃの各々の出力直前に、アナログスイッチ１２２ａ、１２２ｂ、１２２ｃをそれぞれ備えている。そして、制御部１０９が、ＣＤ用光検出器制御信号ｃｄ、ＤＶＤ用光検出器制御信号ｃｅ、ＢＤ用光検出器制御信号ｃｆによってアナログスイッチ１２２ａ、１２２ｂ、１２２ｃのショート／オープンを切り替えることにより、レーザパワー光検出器１１１ａ、１１１ｂ、１１１ｃの動作／非動作が制御される。例えばＣＤへの再生又は記録が選択された際は、制御部１０９が、ＣＤ用光検出器制御信号ｃｄによってアナログスイッチ１２２ａをショートさせ、ＤＶＤ用光検出器制御信号ｃｅ、ＢＤ用光検出器制御信号ｃｆによってアナログスイッチ１２２ｂ、１２２ｃをオープンとすることにより、ＣＤ用レーザパワー検出器１１１ａのみが動作状態とされ、ＤＶＤ用、ＢＤ用レーザパワー検出器１１１ｂ、１１１ｃは非動作状態とされる。
【００４７】
レーザパワー制御部１１０は、レーザパワー検出信号ｂが所定の電圧になるように、ドライバ制御信号ａによってレーザドライバ１０４を制御する。レーザドライバ１０４がドライバ制御信号ａに従って半導体レーザ１１２の発光パワーを制御することにより、光ディスク１０１に照射するレーザパワーを最適化することができる。
【００４８】
以上のように、本実施形態の構成によれば、半導体レーザ１１２からの出射光のパワーを検出するためのレーザパワー光検出器１１１の出力信号線を配線上互いに結合したことにより、可動部である光ピックアップ１０３から筐体への信号線の本数を減少させることができる。さらに、レーザパワー制御部１１０をＬＳＩで構成する場合、レーザパワー検出信号を入力するためのピン数を減少させることができる。
【００４９】
上述の各実施形態では、ＣＤ、ＤＶＤ、ＢＤに対応する光ディスク装置を例示したが、他のディスクに対応する光ディスク装置にも本発明を適用できる。また、半導体レーザも、本実施形態で示した波長範囲に限られるものではなく、例えば紫外線光源等を用いることも可能である。また、図３および図５における動作／非動作を制御する回路素子としてアナログスイッチを用いた構成で説明したが、動作／非動作を切り換える機能を備える回路であれば、本発明を適用できる。
【産業上の利用可能性】
【００５０】
本発明は、複数種類の光源を用いて複数種類の光ディスクからの信号を検出するための光検出装置として有用である。
【図面の簡単な説明】
【００５１】
【図１】本発明の第１および第２の実施形態にかかる光検出装置の構成を示すブロック図である。
【図２】本発明の第１の実施形態にかかる光ピックアップの構成を示すブロック図である。
【図３】本発明の第１の実施形態にかかる再生信号光検出器の構成を示すブロック図である。
【図４】本発明の第１の実施形態にかかる再生信号の伝送を表す説明図である。
【図５】本発明の第２の実施形態にかかる光ピックアップの構成を示すブロック図である。
【符号の説明】
【００５２】
１０１    光ディスク
１０２    スピンドルモータ
１０３    光ピックアップ
１０４    レーザドライバ
１０５    再生信号検出器
１０６    フォーカストラッキングサーボ部
１０７    アドレス検出部
１０８    データ再生部
１０９    制御部
１１０    レーザパワー制御部
１１１    レーザパワー光検出器
１１２    半導体レーザ
１１３    反射素子
１１４    対物レンズ
１１６    アナログスイッチ
１１７    フォトディテクタ
１１８    Ｉ／Ｖ変換回路
１１９    加算回路１１９
１２０    極性反転バッファ回路
１２１    正極性バッファ回路
【図１】
2006134387.tif 000003
【図２】
2006134387.tif 000004
【図３】
2006134387.tif 000005
【図４】
2006134387.tif 000006
【図５】
2006134387.tif 000007